(57)【要約】【課題】ペタンク用メジャーについて、１人の測定者でも各競技球の遠近を高精度に判定しながら得点を迅速に算定できるようにする。【解決手段】ペタンク競技で所定の競技球９と他の競技球９との間で目標球８までの遠近関係を判定するための巻き尺式のペタンク用メジャー１であって、巻き尺体３とその外部に露出した帯状スケール３３の先端側に設けられて目標球８の位置で地面に固定される固定体２とを備え、固定体２が帯状スケール３３先端側の係止手段となる摺動軸２３を有しているとともに地面に刺し込んで位置固定しながら係止手段を目標球８上方で支持する支持脚２５ａ，２５ｂ，２５ｃを有しており、固定体２を目標球８の位置で固定して帯状スケール３３を引き出しながら競技球９まで移動した巻き尺体３を、目標球８を中心に地面に沿った同一半径の旋回動作を行えるよう、係止手段で帯状スケール３先端側が軸支されているものとした。【選択図】図１
2015116350.tif 000002
【特許請求の範囲】
【請求項１】
ペタンク競技で競技球から目標球までの距離を測定又は／及び所定の競技球と他の競技球との間で目標球までの遠近関係を判定するために用いる巻き尺式のペタンク用メジャーにおいて、
帯状スケールを内部に巻回した巻き尺体と、該巻き尺体の外部に露出した前記帯状スケールの先端側に設けられて前記目標球の位置で地面に固定される固定体とを備え、前記固定体は、その上部に前記帯状スケールの先端側を係止する係止手段を有しているとともに、地面に下端側を刺し込むことで位置を固定しながら前記係止手段を前記目標球の上方で支持する金属製の支持脚を有しており、前記固定体を前記目標球の位置で固定して前記帯状スケールを直線的に引き出しながら所定の前記競技球の位置まで移動した前記巻き尺体を、前記目標球を中心点にして地面に沿った同一半径の旋回動作を行えるように、前記係止手段で前記帯状スケールの先端側が軸支されている、ことを特徴としたペタンク用メジャー。
【請求項２】
前記巻き尺体は、前記帯状スケールが引き出された長さで自動的に固定されるとともに、所定の解除手段を操作することで前記帯状スケールが自動的に巻き戻される、ことを特徴とする請求項１に記載したペタンク用メジャー。
【請求項３】
前記支持脚は互いに所定の間隔を有して複数本設けられ、前記複数本の支持脚の間に形成された空間には、底面視円形で前記目標球よりも小径の窪みを底面に有して前記目標球の上端面中央に前記窪みの中心位置を合わせて上から押し付けることで前記目標球の中心の真上に前記係止手段を位置決めさせる位置決め手段が配設されており、前記位置決め手段は、前記支持脚の基端側が固定されている前記固定体本体の中央位置から上下に摺動可能な状態で垂設されているとともに所定の弾性体で下向きに付勢されており、前記窪みを目標球の上端に合わせてその真上に位置決めしながら固定体本体を真下に押し下げて前記支持脚を先端側から地面に刺し込むことで、その押し下げた分だけ前記固定体本体に向かって接近する、ことを特徴とする請求項１又は２に記載したペタンク用メジャー。
【請求項４】
前記位置決め手段は、前記固定体本体を上下に貫通した摺動軸と、該摺動軸の下端側に設けられて底面に窪みを有した押圧部材と、前記摺動軸が中心を挿通した状態で前記固定体本体と前記押圧部材の間に圧縮して挟装されたコイルバネからなり、前記摺動軸の前記固定体本体を貫通して上面側に突出した部分が、前記帯状スケールの先端側を軸支する係止手段を構成又は前記係止手段と中心軸線を共通している、ことを特徴とする請求項３に記載したペタンク用メジャー。
【請求項５】
前記巻き尺体の底面所定位置からは、測定時に前記競技球の所定の部分に対し前記巻き尺体を位置決めするための棒状部材が垂設されており、前記棒状部材は、側方から付勢されることで通常の直線状態から弾性的に湾曲する素材からなり、対象となる前記競技球の側面にその側面を当接しながら横向きに押圧した場合に、所定の湾曲状態まで前記競技球を動かさない弾力性を有している、ことを特徴とする請求項１，２，３又は４に記載したペタンク用メジャー。
【発明の詳細な説明】
【技術分野】
【０００１】
本発明は、ペタンク用メジャーに関し、殊に、ペタンク競技において目標球から所定の競技球までの距離を測定したり所定の競技球よりも目標球に近い競技球を特定したりするのに用いるメジャー器具に関する。
【背景技術】
【０００２】
ペタンク競技は、コート（テラン）上に投げた目標球（ビュット）に対し、２つのチーム（１〜３人）が金属製の競技球（ブール）を投げ合って、最終的に目標球に最も近い競技球を投げたチームが得点になる競技であるが、相手チームの目標球に最も近い競技球よりも目標球に近い位置にある味方チームの競技球の数で、得点をカウントするようになっている。
【０００３】
そして、目標球から各競技球までの遠近の違いが目測で判別できない場合は、折り尺や巻き尺等のメジャー器具を用いて測定するのが通常である。しかし、ペタンクの公式競技規則において、目標球から各競技球までの測定方法は規定されておらず、目標球のどの位置から競技球のどの位置までをどのように測定するかは審判各自に委ねられている。そのため、距離の差が微妙な状況においては、そのときの測定方法とこれによる測定精度が論争を引き起こしやすい。
【０００４】
斯かる問題に対し、特開２００７−４４３１５号公報には、巻き尺ケースの底面から垂設した固定軸棒を地面に付けた状態で、巻き尺ケースから水平に延設したガイドプレートの基準点を目標球の中心部に合わせて設置し、そのガイドプレート上を通るように帯状スケールを引き出して、帯状スケールの先端に付設した緩衝材を競技球の側面に当接させて測定する方式のペタンク用メジャーが提案されている。
【０００５】
この器具を用いることで、測定の起点と測定先の位置とが明確な基準に基づくものとなり、比較的高精度の測定を実現しやすくなる。ところが、このペタンク用メジャーは、目標球の位置にガイドプレートの基準点を合わせた状態で帯状スケールの先端側を競技球の側面に当接する必要があるため、測定に際して目標球の位置で巻き尺体を保持する者と、帯状スケールの先端を競技球の側面に当接させる者の、少なくとも２人の人員（審判・補助者）を必要としてしまう。
【０００６】
また、このペタンク用メジャーを用いて２人で測定する際においても、目標球に合わせたガイドプレートの基準点が不意にずれたり、ガイドプレートで目標球を動かしてしまったりする畏れがあり、或いは、帯状スケール先端の緩衝材を競技球に当接させるときに競技球を不意に動かしてしまうケースも起こりうる。
【０００７】
さらに、ペタンクは比較的短い規定時間内で実施する競技であるため、競技における各動作を迅速に行うとともに得点の算定も迅速に行うことが好ましいところ、前述したペタンク用メジャーにおいても、どちらのチームの競技球が目標球に最も近いかを判定した後、相手チームの競技球で目標球に最も近いものよりも目標球に近い得点側チームの競技球を各々測定しながら総て特定する必要があり、その各測定作業に手間と時間を要してしまうという問題は、依然として充分には解消されていない。
【先行技術文献】
【特許文献】
【０００８】
【特許文献１】特開２００７−４４３１５号公報
【発明の概要】
【発明が解決しようとする課題】
【０００９】
本発明は、上記のような問題を解決しようとするものであり、ペタンク用メジャーについて、１人の測定者でも各競技球の遠近を高精度に判定しながら得点を迅速に算定できるようにすることを課題とする。
【課題を解決するための手段】
【００１０】
そこで、本発明は、ペタンク競技で競技球から目標球までの距離を測定又は／及び所定の競技球と他の競技球との間で目標球までの遠近関係を判定するために用いる巻き尺式のペタンク用メジャーにおいて、帯状スケールを内部に巻回した巻き尺体と、この巻き尺体の外部に露出した帯状スケールの先端側に設けられて目標球の位置で地面に固定される固定体とを備え、この固定体は、その上部に前記帯状スケールの先端側を係止する係止手段を有しているとともに、地面に下端側を刺し込むことで位置を固定しながら前記係止手段を目標球の上方で支持する金属製の支持脚を有しており、固定体を目標球の位置で固定して帯状スケールを直線的に引き出しながら所定の競技球の位置まで移動した巻き尺体を、目標球を中心点にして地面に沿った同一半径の旋回動作を行えるように、前記係止手段で帯状スケールの先端側が軸支されている、ことを特徴とするものとした。
【００１１】
このように、巻き尺体から引き出される帯状スケールの先端側に目標球の位置で地面に固定するための固定体を設けて、固定体を目標球の位置で固定した状態で帯状スケールを引き出した巻き尺体を、地面（コート面）に沿った旋回動作を可能とすべく、帯状スケール先端側を固定体側に軸支してなる構成としたことで、対象の競技球まで帯状スケールを引き出した巻き尺体を目標球の位置を中心軸として旋回させながら目標球の周囲にある各競技球までの距離を順次測定できることに加え、非得点側で目標球に最も近い競技球に巻き尺体を位置合わせしてから、同じ半径でそのまま旋回させることで、その旋回軌道の内側にある得点側の競技球の数をそのまま得点としてカウントできるものとなる。
【００１２】
この場合、その巻き尺体は、帯状スケールが引き出された長さで自動的に固定されるとともに、所定の解除手段を操作することで帯状スケールが自動的に巻き戻される、ことを特徴としたものとすれば、非得点側で目標球に最も近い競技球に巻き尺体を位置合わせするだけで帯状スケールの長さが固定され、これをそのまま旋回させてもその半径が変更されないため、その旋回軌道の内側にある得点側の競技球の数を容易な手順でカウントすることができる。
【００１３】
また、上述したペタンク用メジャーにおいて、その支持脚は互いに所定の間隔を有して複数本設けられ、この複数本の支持脚の間に形成された空間には、底面視円形で目標球よりも小径の窪みを底面に有して目標球の上端面中央に窪みの中心位置を合わせて上から押し付けることで目標球の中心の真上に前記係止手段を位置決めさせる位置決め手段が配設されており、この位置決め手段は、前記支持脚の基端側が固定されている固定体本体の中央位置から上下に摺動可能な状態で垂設されているとともに所定の弾性体で下向きに付勢されており、前記窪みを目標球の上端に合わせてその真上に位置決めしながら固定体本体を真下に押し下げて支持脚を先端側から地面に刺し込むことで、その押し下げた分だけ固定体本体に向かって接近することを特徴としたものとすれば、目標球の中心を通る鉛直線に対し固定体の中心軸線を容易に位置決めしながら、そのまま固定体を地面に対し容易に固定できるものとなる。
【００１４】
この場合、その位置決め手段は、前記固定体本体を上下に貫通した摺動軸と、この摺動軸の下端側に設けられて底面に窪みを有した押圧部材と、前記摺動軸が中心を挿通した状態で固定体本体と押圧部材の間に圧縮して挟装されたコイルバネからなり、その摺動軸の固定体本体を貫通して上面側に突出した部分が、前記帯状スケールの先端側を軸支する係止手段を構成又は前記係止手段と中心軸線を共通している、ことを特徴としたものとすれば、単純な構成で位置決め手段と係止手段を兼ねたものとすることができる。
【００１５】
さらに、上述したペタンク用メジャーにおいて、その巻き尺体の底面所定位置からは、測定時に競技球の所定の部分に対し巻き尺体を位置決めするための棒状部材が垂設されており、この棒状部材は、側方から付勢されることで通常の直線状態から弾性的に湾曲する素材からなり、対象となる競技球の側面にその側面を当接しながら横向きに押圧した場合に、所定の湾曲状態まで競技球を動かさない弾力性を有している、ことを特徴としたものとすれば、競技球の測定位置が明確になることに加え、その測定の際に競技球を不意に動かしてしまう心配の少ないものとなる。
【発明の効果】
【００１６】
固定体を目標球の位置で固定しながら帯状スケールを引き出した巻き尺体をコート面に沿って旋回動作できるように帯状スケール先端側を固定体側に軸支してなる本発明により、１人の測定者でも各競技球の遠近を高精度に判定しながら得点を迅速に算定可能なものとした。
【図面の簡単な説明】
【００１７】
【図１】本発明における実施の形態のペタンク用メジャーの正面図である。
【図２】図１のペタンク用メジャーの平面図である。
【図３】図１のペタンク用メジャーの固定体を目標球の位置に固定する手順を説明するための正面図である。
【図４】図３の状態から支持脚を地面に刺し込んだ状態を示す正面図である。
【図５】図４の状態から帯状スケールを引き出して巻き尺体を競技球の位置まで移動させた状態を示す部分正面図である。
【図６】図１のペタンク用メジャーを用いた得点のカウント方法を説明するための平面図である。
【図７】図１のペタンク用メジャーの応用例を示す部分正面図である。
【図８】（Ａ）は図１のペタンク用メジャーにおける固定体本体への支持脚の固定状況を示す底面図、（Ｂ）は（Ａ）の変形例を示す底面図、（Ｃ）は（Ａ）の他の変形例を示す底面図である。
【発明を実施するための形態】
【００１８】
以下に、図面を参照しながら本発明を実施するための形態を説明する。
【００１９】
図１は、本実施の形態であるペタンク用メジャー１を示している。このペタンク用メジャー１は、ペタンク競技で目標球８と競技球９の間の距離を測定したり、所定の競技球と他の競技球との間で目標球までの距離の遠近関係を判定したりするために用いる巻き尺式のメジャー器具であり、帯状スケール３３を内部に巻回した巻き尺体３と、その帯状スケール３３の露出した先端側に設けられて目標球８の位置でコート上に固定される固定体２とを備えている。
【００２０】
この固定体２は、その上部に樹脂製で円盤状の固定体本体２０を有しており、その中央部分に開口した挿通孔２０ａには、金属製の摺動軸２３が上下に摺動可能な状態で挿通されている。また、固定体本体２０上面側で摺動軸２３の露出している部分が、巻き尺体３から引き出された帯状スケール３３先端側の挿通孔３３ａを挿通した状態で係止しており、帯状スケール３３を固定体２上部に係止する係止手段を構成している。
【００２１】
さらに、摺動軸２３の上端側には、樹脂を杯状に形成してなる摘み部材２１が、その大径部の窪みを上向きにして設けられている。尚、摺動軸２３で挿通している帯状スケール３３先端側部分の上方向への動きを規制するために、図のように上端部が大径化された筒状のストッパ２６を、その小径部を挿通孔３３ａに挿通しながら固定体本体２０の挿通孔２０ａに固定しても良い。
【００２２】
固定体本体２０の底面外周部分からは、下端側を地面に刺し込むことで固定体２をコート上に位置固定しながら固定体本体２０及び前述した帯状スケール３３先端側の係止部分を目標球８の真上で支持するものとして、下半分が上半分よりも細いニードル状で金属製の支持脚２５ａ，２５ｂ，２５ｃが、挿通孔２０ａ開口部から互いに等間隔で摺動軸２３を取り囲むように垂設されている。
【００２３】
そして、固定体本体２０の下側で支持脚２５ａ，２５ｂ，２５ｃに囲まれた空間部分では、前述した摘み部材２１と対称形状をなす樹脂製の押圧部材２２が、その大径部の窪みを下向きにして摺動軸２３の先端側に設けられており、これと固定体本体２０との間に、コイルバネ２４が中心を摺動軸２３に挿通されながら圧縮状態で挟装されており、その弾性反発力で押圧部材２２を下向きに付勢している。
【００２４】
一方、巻き尺体３は、引き出されると中央が湾曲した樋状となって直線性を維持する金属製の帯状スケール３３が巻き尺ケース３０内部に巻回してあり、ギヤとバネを内蔵して帯状スケール３３の引き出し動作に抵抗するとともに引き出された長さで自動的に固定され、固定解除スイッチ３１を操作することでこれが自動的に巻き戻されるようになっている。
【００２５】
また、巻き尺ケース３０底面の帯状スケール３３取出し口付近からは、測定時に競技球９に対して巻き尺体３を位置決めするための基準棒３２が鉛直方向に設けられている。この基準棒３２は、巻き尺ケース３０底面からその先端までの長さが競技球９の直径に近いものとされ、側方から押圧した場合に弾性的に湾曲する素材で出来ている点を特徴としている。
【００２６】
即ち、この基準棒３２は、測定対象となる競技球９の側面にその側面を当接しながら横向きに押圧した場合に、所定の湾曲状態まで競技球９を動かさない柔軟性・弾力性を有したものであり、本実施の形態においては、鋼線を筒状に巻回して先端側に同径の樹脂部品を設けてなるコイルバネを用いており、これが適度な柔軟性・弾力性を有していることで、測定時に競技球９を不意に動かしてしまう心配を最小限にしている。
【００２７】
図２は、図１のペタンク用メジャー１の平面図であるが、引き出された帯状スケール３３には計測用の目盛りと数値が表示されており、その数値は先端側の挿通孔３３ａの中心位置を基点（０）としている。また、その帯状スケール３３は、摺動軸２３が上下に挿通している挿通孔３３ａの中心を中心軸として水平方向に回動可能な状態に摺動軸２３で軸支されており、固定体２を目標球８の位置で固定して帯状スケール３３を直線的に引き出しながら測定対象の競技球９まで移動した巻き尺体３を、そのまま地面に沿って旋回させる動作を行えるようになっており、この点が本発明における最大の特徴部分となっている。
【００２８】
即ち、図３，４に示すように、固定体本体２０を手で把持して支持脚２５ａ，２５ｂ，２５ｃを地面に刺し込むことで固定体２を目標球８の真上で固定することができ、図５に示すように帯状スケール３３を引き出しながら所定の競技球９まで巻き尺体３を移動させた後、これを固定体２の位置を中心に旋回動作できるようになっている。
【００２９】
そのため、図６に示すように非得点側チームで最も目標球８に近い競技球９ｂに巻き尺体３の基準棒３２を位置合わせしてから、目標球８の位置を中心軸としてそのまま半径を変えずにコート面に沿って旋回させれば、その基準棒３２による旋回軌道の内側にある得点側チームの競技球９ａの数をそのまま得点としてカウントすることができる。
【００３０】
また、本実施の形態のペタンク用メジャー１は、目標球８の真上に測定の起点を正確且つ容易に配置できるようにした点も特徴としている。再び図３を参照して、上述したように固定体本体２０の底面からは、３本の支持脚２５ａ，２５ｂ，２５ｃがその内側に目標球８を挿入可能な間隔で垂設されており、これらの中央位置に摺動軸２３が上下に摺動可能に配設されている。
【００３１】
そして、上述したように、その摺動軸２３下端側には底面視円形で底面に目標球８よりも小径の窪みを有した樹脂製で下向き杯状の押圧部材２２が配設されているが、その窪みの中心を目標球８の上端面中央部に合わせて上から押し付けることにより、摺動軸２３上部による帯状スケール３３の係止手段を目標球８の真上に位置決めさせる位置決め手段として機能する点も特徴となっている。
【００３２】
即ち、その押圧部材２２はコイルバネ２４で下向きに付勢されており、コート上の目標球８の中心に対しその中心を合わせるように真上から押し付けることで（図３参照）、帯状スケール３３における測定の基準点を目標球８の中心を通る鉛直線上に容易且つ正確に位置決めすることができ、そのまま固定体本体２０を押し下げることで支持脚２５ａ，２５ｂ，２５ｃの先端が地面に刺し込まれる。
【００３３】
その際、目標球８は押圧部材２２で地面に押圧した状態を維持されるため、これが不意に動いてしまうことを回避しやすくなっており、コイルバネ２４を圧縮しながら押し下げた分だけ押圧部材２２が固定体本体２０に近接しながら、固定体２が目標球８の位置でコート上に固定される。したがって、特に熟練を要することなく、誰が行っても固定体２を目標球８の位置で正確に固定することができる。
【００３４】
また、このようにして固定された固定体２は、コート面において比較的強い固定力を発揮することから、図５に示したようにそのまま巻き尺体３を遠心方向に引っ張りながら帯状スケール３３を引き出しても、固定体２がその固定位置から動いてしまう心配は殆どない。したがって、従来例におけるように目標球８の位置で基準点になる部材を保持しておくための人員は不要であり、測定者が１人であっても正確かつ容易に測定を行えるものとしている。
【００３５】
図７は、上述した実施の形態の応用例を示すものであり、巻き尺体３Ｂにスティック３７を接続したことで、測定者が腰をかがめずに楽な姿勢で競技球９の測定を行えるようにした点を特徴としている。このスティック３７は、鉛直線に対し傾斜した角度で巻き尺体３Ｂに対し着脱自在に取り付けられるとともに、巻き尺体３Ｂ側の装着孔に挿入した鉛直方向の先端部を軸にした旋回動作も可能とされており、固定体２の位置を中心にした巻き尺体３Ｂの旋回動作を実施しやすいものとしている。
【００３６】
図８（Ａ）は、上述したペタンク用メジャー及びその変形例における固定体本体の形状と支持脚の配置状況を説明するための部分底面図を示している。上述した実施の形態において、固定体本体２２は底面視円形で支持脚が三角形の配置となっているが、図（Ｂ）に示すようにその支持脚２５ａ，２５ｂ，２５ｃの配置に合わせた三角形の固定体本体２０ｂとすれば、目標球８に位置決めする際に目標球８の中心位置を上方から視認しやすくなる。
【００３７】
また、図（Ｃ）に示すように、四角形の固定体２０ｃを用いてその四隅に支持脚２５ａ，２５ｂ，２５ｃ，２５ｄを配置してもよく、この場合はコート面への固定力に優れたものとなる。尚、上述した固定体本体２０，２０ｂ，２０ｃを透明樹脂で作成すれば、目標球８に対し固定体２を上から位置合わせする際に、これらが透明であることで目標球８の中心位置がさらに視認しやすくなり、固定作業が一層容易なものとなる。
【００３８】
以上、述べたように、ペタンク用メジャーについて、本発明により１人の測定者でも、各競技球の遠近を高精度に判定しながら得点を迅速に算定できるようになった。
【符号の説明】
【００３９】
１  ペタンク用メジャー、２  固定体、３，３Ｂ  巻き尺体、８  目標球、９，９ａ，９ｂ  競技球、２０，２０ｂ，２０ｃ  固定体本体、２２  押圧部材、２３  摺動軸、２４  コイルバネ、２５ａ，２５ｂ，２５ｃ，２５ｄ  支持脚、３０  巻き尺ケース、３２  基準棒、３３  帯状スケール
【図１】
2015116350.tif 000003
【図２】
2015116350.tif 000004
【図３】
2015116350.tif 000005
【図４】
2015116350.tif 000006
【図５】
2015116350.tif 000007
【図６】
2015116350.tif 000008
【図７】
2015116350.tif 000009
【図８】
2015116350.tif 000010